(57)【特許請求の範囲】
【請求項１】
録画再生装置により再生されたコンテンツを表示すると共に、該録画再生装置における録画処理を制御する表示装置であって、
第１の動作モードにおいて録画処理を実行する録画再生装置に対して録画処理の停止を指示する指示手段と、
上記指示手段が録画処理の停止を指示した後、上記録画再生装置がユーザによって使用されているか否かを判定する判定手段と、
上記判定手段が、上記録画再生装置がユーザによって使用されていないと判定したとき、上記録画再生装置を上記第１の動作モードよりも消費電力の小さい第２の動作モードに遷移させる遷移手段と、を備えている、ことを特徴とする表示装置。
【請求項２】
上記判定手段は、上記録画再生装置から送信されたコンテンツを表示しているか否かに応じて、上記録画再生装置がユーザによって使用されているか否かを判定することを特徴とする請求項１に記載の表示装置。
【請求項３】
上記表示装置の周囲にユーザが居るか否かを感知する感知手段をさらに備え、上記判定手段は、上記感知手段の感知結果に応じて、上記録画再生装置がユーザによって使用されているか否かを判定することを特徴とする請求項１に記載の表示装置。
【請求項４】
上記指示手段が録画処理の停止を指示した後、上記録画再生装置を使用しているか否かをユーザに問い合わせるためのダイアログを表示するダイアログ表示手段を更に備え、
上記判定手段は、上記ダイアログに対するユーザ操作に応じて、上記録画再生装置がユーザによって使用されているか否かを判定することを特徴とする請求項１から３の何れか１項に記載の表示装置。
【請求項５】
上記録画再生装置の機器種別を取得し、上記録画再生装置の機器種別を、当該表示装置に接続された他の機器の機器種別と共に一覧表示させる機器選択手段をさらに備え、
上記機器選択手段は、一覧表示された機器種別のうち、ユーザによって選択された機器種別に対応する操作対象機器を特定し、
上記指示手段は、ユーザによって指示された処理を上記操作対象機器に実行させることを特徴とする請求項１から４の何れか１項に記載の表示装置。
【請求項６】
上記表示装置は、上記録画再生装置とＨＤＭＩケーブルを介して接続していることを特徴とする請求項１から５の何れか１項に記載の表示装置。
【請求項７】
録画再生装置により再生されたコンテンツを表示すると共に、該録画再生装置における録画処理を制御する表示装置の制御方法であって、
第１の動作モードにおいて録画処理を実行する録画再生装置に対して録画処理の停止を指示する指示ステップと、
上記指示ステップにて録画処理の停止を指示された後、上記録画再生装置がユーザによって使用されているか否かを判定する判定ステップと、
上記判定ステップにて上記録画再生装置がユーザによって使用されていないと判定されたとき、上記録画再生装置を上記第１の動作モードよりも消費電力の小さい第２の動作モードに遷移させる遷移ステップと、を備えている、ことを特徴とする制御方法。
【請求項８】
コンピュータを請求項１から６までの何れか１項に記載の表示装置として動作させるためのプログラムであって、上記コンピュータを上記表示装置が備えている各手段をとして機能させるための制御プログラム。
【請求項９】
請求項８に記載の制御プログラムを記録したコンピュータ読み取り可能な記録媒体。
【発明の詳細な説明】
【技術分野】
【０００１】
本発明は、録画再生装置により再生されたコンテンツを表示すると共に、該録画再生装置における録画処理を制御する表示装置及びその制御方法に関するものである。
【背景技術】
【０００２】
近年、ＨＤＭＩ（High-Definition Multimedia Interface）端子を標準搭載するテレビおよびＡＶ機器が広く普及し、表示装置（例えば、テレビ）と録画再生装置（例えば、レコーダ）とをＨＤＭＩケーブルにより接続することが一般的となってきている。ＨＤＭＩ規格ではＣＥＣ（Consumer Electronics Control）を使った機器間制御を行うことができる。ＨＤＭＩ規格の詳細については、非特許文献１に記載がある。
【０００３】
テレビに接続される録画再生装置の消費電力を削減する技術として、例えば、特許文献１に記載の技術が知られている。特許文献１に記載のテレビジョン受像機は、録画再生装置の録画処理を停止させた後、所定時間内に録画・再生関連操作に為されなかった場合、通電状態を中間状態から待機状態へと移行させる。これにより、録画処理を停止させたにも関わらず、録画再生装置が無駄な電力を消費し続けることが回避される。
【０００４】
特許文献２には、ユーザがテレビ受信機の電源オンの操作を行うと、システムの起動を開始し、ディスクプレーヤの電源状態をオフ状態からスタンバイ状態に移行し、システムの起動が終了してオン状態となった後にディスクプレーヤの電源状態をスタンバイ状態からオン状態に移行することにより、短時間でディスクプレーヤの電源状態をオン状態にする技術が記載されている。
【先行技術文献】
【特許文献】
【０００５】
【特許文献１】特開２００８−２１９３９２号公報（２００８年９月１８日公開）
【特許文献２】特開２０１０−４５４５０号公報（２０１０年２月２５日公開）
【非特許文献】
【０００６】
【非特許文献１】High-Definition Multimedia Interface Specification Version 1.3a,November 10 2006
【発明の概要】
【発明が解決しようとする課題】
【０００７】
しかしながら、特許文献１に記載のテレビジョン受像機は、録画再生装置に録画処理を停止させた後、所定時間内に録画・再生関連操作が為されなければ、ユーザが録画再生装置を使用しているか否かに関わらず録画再生装置の通電状態を待機状態へと遷移させる。したがって、ユーザが録画再生装置を使用しているにも関わらず、突然、録画再生装置の通電状態が待機状態へと遷移し、ユーザを困惑させるという問題を生じる。特に、録画と再生とを同時に行う録画再生装置においては、再生された映像をユーザが視聴している状態で、録画処理が完了するといったことがしばしば生じる。したがって、このような問題が顕在化され易い。特許文献２においても、このような問題を解決し得る技術は開示されていない。
【０００８】
本発明は、上記の問題点を解決するためになされたもので、その目的は、ユーザが録画再生装置を使用していないときに限って、録画再生装置をより消費電力が少ない動作モードに遷移させる表示装置を提供することにある。
【課題を解決するための手段】
【０００９】
上記課題を解決するために、録画再生装置により再生されたコンテンツを表示すると共に、該録画再生装置における録画処理を制御する表示装置であって、第１の動作モードにおいて録画処理を実行する録画再生装置に対して録画処理の停止を指示する指示手段と、上記指示手段が録画処理の停止を指示した後、上記録画再生装置がユーザによって使用されているか否かを判定する判定手段と、上記判定手段が、上記録画再生装置がユーザによって使用されていないと判定したとき、上記録画再生装置を上記第１の動作モードよりも消費電力の小さい第２の動作モードに遷移させる遷移手段と、を備えている、ことを特徴としている。
【００１０】
また、上記課題を解決するために、録画再生装置により再生されたコンテンツを表示すると共に、該録画再生装置における録画処理を制御する表示装置の制御方法であって、第１の動作モードにおいて録画処理を実行する録画再生装置に対して録画処理の停止を指示する指示ステップと、上記指示ステップにて録画処理の停止を指示された後、上記録画再生装置がユーザによって使用されているか否かを判定する判定ステップと、上記判定ステップにて上記録画再生装置がユーザによって使用されていないと判定されたとき、上記録画再生装置を上記第１の動作モードよりも消費電力の小さい第２の動作モードに遷移させる遷移ステップと、を備えている、ことを特徴としている。
【００１１】
上記の構成によれば、録画再生装置に対して録画処理の停止を指示した後、上記録画再生装置が使用されていないことを確認したうえで、上記録画再生装置の動作モードをより消費電力の小さい第２の動作モードに遷移させる。したがって、録画再生装置が使用されているにも関わらず、録画再生装置の動作モードが変更されて、ユーザに困惑を与えるような事態を有効に回避することができる。
【００１２】
本発明に係る表示装置では、上記判定手段は、上記録画再生装置から送信されたコンテンツを表示しているか否かに応じて、上記録画再生装置がユーザによって使用されているか否かを判定することが好ましい。
【００１３】
上記の構成によれば、少なくとも上記録画再生装置から送信されたコンテンツを表示している間は、上記録画再生装置が第２の動作モードに遷移してコンテンツの再生が中断されるという問題を生じることがない。
【００１４】
本発明に係る表示装置は、上記表示装置の周囲にユーザが居るか否かを感知する感知手段をさらに備え、上記判定手段は、上記感知手段の感知結果に応じて、上記録画再生装置がユーザによって使用されているか否かを判定することが好ましい。
【００１５】
上記の構成によれば、少なくとも上記表示装置の周囲に人がいる間は、上記録画再生装置が第２の動作モードに遷移してコンテンツの再生が中断されるという問題を生じることがない。
【００１６】
本発明に係る表示装置は、上記指示手段が録画処理の停止を指示した後、上記録画再生装置を使用しているか否かをユーザに問い合わせるためのダイアログを表示するダイアログ表示手段を更に備え、上記判定手段は、上記ダイアログに対するユーザ操作に応じて、上記録画再生装置がユーザによって使用されているか否かを判定することが好ましい。
【００１７】
上記構成によれば、録画再生装置が使用されている場合においても、ユーザの指示によって、上記録画再生装置の動作モードをより消費電力の小さい第２の動作モードに遷移させることができるため、更なる録画再生装置の消費電力の更なる削減が可能となる。
【００１８】
本発明に係る表示装置は、上記録画再生装置の機器種別を取得し、上記録画再生装置の機器種別を、当該表示装置に接続された他の機器の機器種別と共に一覧表示させる機器選択手段をさらに備え、上記機器選択手段は、一覧表示された機器種別のうち、ユーザによって選択された機器種別に対応する操作対象機器を特定し、上記指示手段は、ユーザによって指示された処理を上記操作対象機器に実行させることが好ましい。
【００１９】
上記構成によれば、ユーザは当該表示装置に接続された各機器の機器種別を一覧で見ることができ、一覧から操作対象機器を選択し、選択された操作対象機器に対して処理を指示することができる。これにより、ユーザは操作を行う操作対象機器を簡単に選択することができ、該操作対象機器に対して操作を指示することができる。
【００２０】
本発明に係る表示装置は、上記録画再生装置とＨＤＭＩケーブルを介して接続していることが好ましい。
【００２１】
また、上記表示装置が備えているコンピュータを動作させるプログラムであって、上記コンピュータを上記の各手段として実行させるための制御プログラム、および当該制御プログラムを記録したコンピュータ読み取り可能な記録媒体も本発明の技術的範囲に含まれる。
【発明の効果】
【００２２】
録画再生装置により再生されたコンテンツを表示すると共に、該録画再生装置における録画処理を制御する表示装置であって、第１の動作モードにおいて録画処理を実行する録画再生装置に対して録画処理の停止を指示する指示手段と、上記指示手段が録画処理の停止を指示した後、上記録画再生装置がユーザによって使用されているか否かを判定する判定手段と、上記判定手段が、上記録画再生装置がユーザによって使用されていないと判定したとき、上記録画再生装置を上記第１の動作モードよりも消費電力の小さい第２の動作モードに遷移させる遷移手段と、を備えている、ことを特徴としている。
【００２３】
また、録画再生装置により再生されたコンテンツを表示すると共に、該録画再生装置における録画処理を制御する表示装置の制御方法であって、第１の動作モードにおいて録画処理を実行する録画再生装置に対して録画処理の停止を指示する指示ステップと、上記指示ステップにて録画処理の停止を指示された後、上記録画再生装置がユーザによって使用されているか否かを判定する判定ステップと、上記判定ステップにて上記録画再生装置がユーザによって使用されていないと判定されたとき、上記録画再生装置を上記第１の動作モードよりも消費電力の小さい第２の動作モードに遷移させる遷移ステップと、を備えている、ことを特徴としている。
【００２４】
これにより、録画再生装置に対して録画処理の終了を指示した後、上記録画再生装置が使用されていないことを確認したうえで、上記録画再生装置の動作モードをより消費電力の小さい第２の動作モードに遷移させる。したがって、録画再生装置が使用されているにも関わらず、録画再生装置の動作モードが変更されて、ユーザに困惑を与えるような事態を有効に回避することができる。
【図面の簡単な説明】
【００２５】
【図１】第１の実施形態に係る表示装置の構成を示すブロック図である。
【図２】図１の表示装置の記録部に記録されたマップテーブルの一例である。
【図３】図１の表示装置にて実行されるユーザがテレビに対し録画の予約をする際の処理の流れを示すフローチャートである。
【図４】図１の表示装置にて実行される予約された録画処理の流れを示すフローチャートである。
【図５】図１の表示装置にて実行される予約された録画処理のレコーダでの処理の流れを示すフローチャートである。
【図６】第２の実施形態に係る表示装置の構成を示すブロック図である。
【図７】図６の表示装置にて実行される予約された録画処理の流れを示すフローチャートである。
【発明を実施するための形態】
【００２６】
〔実施形態１〕
本発明の表示装置に関する第１の実施形態について、図１から図５に基づいて説明すれば以下のとおりである。本実施形態では、ユーザが予約した録画をテレビ（表示装置）１０及びレコーダ（録画再生装置）２０が実行し、録画を停止した後、レコーダ２０が使用されているか否かを判定し、レコーダ２０が使用されていない場合、もしくは、ユーザがスタンバイ状態にすると指示した場合、レコーダ２０をスタンバイ状態に遷移させる方法を説明する。ここで、スタンバイ状態とは、レコーダ２０の電源状態がＯＮの状態（第１の動作モード）よりも消費電力の少ない状態（第２の動作モード）を示す。
【００２７】
（テレビ１０）
まず、本実施形態に係るテレビ１０の構成について、図１を参照して説明する。図１は、テレビ１０の構成を示すブロック図である。図１においては、テレビ１０の構成に加え、テレビ１０のＨＤＭＩ入力端子に接続されたソース機器であるレコーダ２０のＨＤＭＩトランスミッタ２６０の構成を示している。
【００２８】
図１に示すように、テレビ１０は、表示部１１、リモコン受光部１２及び制御装置１００を備えている。また、制御装置１００は、記録部１１０、制御部１２０、コマンド処理部１３０、機器選択部１４０、表示処理部１５０及びＨＤＭＩレシーバ１６０を備えている。また、テレビ１０は、リモコン３０からのリモコン信号を受信可能に構成されている。
【００２９】
テレビ１０はレコーダ２０とＨＤＭＩケーブルを介して接続している。ＨＤＭＩケーブルは、コンテンツ（映像信号および音声信号）を伝送するＴＭＤＳ（Transition Minimized Differential Signaling）ラインと、ＣＥＣコマンドを伝送するＣＥＣラインと、ＥＤＩＤを伝送するＤＤＣ（Display Data Cannel）ラインと、ＨＰＤ信号を伝送するＨＰＤラインと、接続検知のためにソース機器によって電圧（対グランド電位）が５Ｖに制御される５Ｖ電力ラインとを備えている。
【００３０】
ここで、ＥＤＩＤは、シンク機器であるテレビ１０に関する情報（周波数、解像度、製造メーカ、型式など）と、ソース機器であるレコーダ２０に割り振るべき物理アドレスとが記述されたデータである。また、ＨＰＤ信号は、接続検知のために利用される２値信号である。
【００３１】
ＣＥＣコマンドは、ＨＤＭＩにおいて規定されたＣＥＣプロトコル（以下、ＨＤＭＩ−ＣＥＣと呼ぶ）に基づく制御コマンドである。ＨＤＭＩケーブルにより接続された各機器には、ＣＥＣコマンドによる機器間の連携を実現するために、論理アドレスと物理アドレスとが割り振られる。ＣＥＣコマンドには、送信元および／または送信先の論理アドレスおよび／または物理アドレスが引数として含まれ、ＨＤＭＩケーブルにより接続された各機器は、ＣＥＣコマンドに含まれる論理アドレスおよび／または物理アドレスによって、そのＣＥＣコマンドの送信元および／または送信先を特定する。
【００３２】
論理アドレスは、機器種別（テレビ、レコーダ、プレーヤ、チューナ、オーディオの何れか）を示す１から１５までの自然数によって表現される。例えば、テレビには論理アドレス「０」が割り振られ、１台目のレコーダには論理アドレス「１」が割り振られる、２台目のレコーダには論理アドレス「２」が割り振られる。
【００３３】
物理アドレスは、ソース機器からのパスを示す４桁の自然数によって表現される。例えば、シンク機器（テレビ１０）のｘ番目のＨＤＭＩ入力端子に接続されたソース機器Ｘには物理アドレス（ｘ，０，０，０）が割り振られ、ソース機器Ｘのｙ番目のＨＤＭＩ入力端子に接続されたソース機器Ｙには物理アドレス（ｘ，ｙ，０，０）が割り振られる。なお、シンク機器であるテレビ１０には物理アドレス（０，０，０，０）が割り振られる。
【００３４】
表示部１１は、制御装置１００からの指示に基づいて映像を表示する。具体的には、表示部１１は、ＬＣＤ、ＥＬ（Electroluminescence）ディスプレイ、ＰＤＰ（Plasma Display Panel）などの表示素子と、受信した映像信号に基づいて表示素子を駆動するドライバ回路とを備える構成である。なお、映像には、絵や図形の他、文字も含まれ、また、静止画および動画も含まれる。
【００３５】
リモコン受光部１２は、リモコン３０からリモコン信号を受信する。上記リモコン信号は、例えば、赤外線などの光で受信することができるが、これに限定されるものではない。リモコン受光部１２は、受信した信号を、制御装置１００に送信する。
【００３６】
（制御装置１００）
制御装置１００は、テレビ１０内の各種構成を統括的に制御するものである。また、制御装置１００は、レコーダ２０における録画処理を制御する。制御装置１００が備える記録部１１０、制御部１２０、コマンド処理部１３０、機器選択部１４０、表示処理部１５０及びＨＤＭＩレシーバ（受信部）１６０について、以下に説明する。
【００３７】
記録部１１０は、機器種別と論理アドレスと物理アドレスとが関連付けられたデータであるマップテーブルを記録している。図２に記録部１１０に記録されているマップテーブルの例を示す。図２に示すとおり、マップテーブルには、ＴＶ（テレビ）、ＲｅｃｏｒｄｉｎｇＤｅｖｉｃｅ１（レコーダ）及びＰｌａｙｂａｃｋＤｅｖｉｃｅ１（プレーヤ）のそれぞれに対し、物理アドレス及び論理アドレスが記録されている。なお、マップテーブルの形式はこれに限定されるものではない。
【００３８】
また、記録部１１０は、ユーザがテレビ１０を介して、レコーダ２０に映像の録画を予約するといった操作の指示を行う場合、レコーダ２０の物理アドレス及び論理アドレスとユーザによって指示された操作の内容とが関連付けられたデータを記録している。
【００３９】
また、記録部１１０は、各種データおよびプログラムを記憶する。記録部１１０の例としては、制御装置１００が動作するときに必要なプログラム等の固定データを記憶する読出し専用の半導体メモリであるＲＯＭ（Read Only Memory）と、演算に使用するデータ及び演算結果等を一時的に記憶するいわゆるワーキングメモリとしてのＲＡＭ（Random Access Memory）とが挙げられる。
【００４０】
なお、記録部１１０は、制御装置１００内に構成されなくてもよい。つまり、制御装置１００とは別にテレビ１０内に構成してもよいし、テレビ１０とは別の構成としてもよい。
【００４１】
制御部１２０は、制御装置１００における処理全般を制御する。また、制御部１２０は、ユーザがリモコン３０を用いて指示した情報（リモコン信号）を、リモコン受光部１２から取得する。制御部１２０は、取得したリモコン信号に応じて、コマンド処理部１３０もしくは機器選択部１４０に操作指示を送信する。具体的には、制御部１２０は、取得したリモコン信号が、ユーザが指定した録画などの処理を示す情報である場合、該処理を行うＣＥＣコマンドを送信するようコマンド処理部１３０に指示する。また、制御部１２０は、取得したリモコン信号が、表示部１１に一覧表示された機器よりユーザによって選択された機器（操作対象機器）を示す情報である場合、該操作対象機器の物理アドレス及び論理アドレスを取得するよう機器選択部１４０に指示する。
【００４２】
コマンド処理部１３０は、制御部１２０からの指示に従いレコーダ２０を制御するＣＥＣコマンドを発行し、ＣＥＣ・Ｉ／Ｆを介して、レコーダ２０に送信する。コマンド処理部１３０において発行されるＣＥＣコマンドについては、以下に説明するため、ここではその説明を省略する。
【００４３】
また、コマンド処理部１３０は、レコーダ２０から送信されたＣＥＣコマンドを、ＣＥＣ・Ｉ／Ｆ１６４を介して受信する。受信したＣＥＣコマンドが、利用可能であることを示すＣＥＣコマンドの場合、コマンド処理部１３０は、受信したＣＥＣコマンドに含まれる物理アドレスを機器選択部１４０に送信する。受信したＣＥＣコマンドが上記ＣＥＣコマンド以外のＣＥＣコマンドの場合、該ＣＥＣコマンドの内容を制御部１２０に送信する。
【００４４】
機器選択部１４０は、制御部１２０からの指示に従い、操作対象機器の物理アドレス及び論理アドレスを記録部１１０に記録されたマップテーブルより取得する。機器選択部１４０は、取得した物理アドレス及び論理アドレスを制御部１２０またはコマンド処理部１３０に送信する。
【００４５】
また、機器選択部１４０は、テレビ１０に接続している利用可能な機器の物理アドレスをコマンド処理部１３０から受信し、記録部１１０に記録されたマップテーブルを参照して、該物理アドレスに該当する機器種別を取得する。機器選択部１４０は、取得した機器種別を表示部１１に一覧表示するよう表示処理部１５０に指示する。
【００４６】
表示処理部１５０は、ＨＤＭＩレシーバ１６０のＴＭＤＳレシーバ１６１で受信したコンテンツを表示部１１に表示する。また、表示処理部１５０は、機器選択部１４０からの指示に従い、テレビ１０に接続している機器種別を表示部１１に一覧表示する。
【００４７】
また、表示処理部１５０は、レシーバ２０から受信したコンテンツ以外に、例えば、アナログチューナー（図示しない）及びデジタルチューナー（図示しない）から供給される映像信号を表示することが可能である。
【００４８】
ＨＤＭＩレシーバ１６０は、ＴＭＤＳレシーバ１６１、ＤＤＣ・Ｉ／Ｆ１６２、ＣＥＣ・Ｉ／Ｆ１６３、ＨＰＤ制御部１６４、５Ｖ・Ｐｏｗｅｒ検知部１６５及びＥＤＩＤ格納部１６６を備えている。ＨＤＭＩレシーバ１６０の各部は制御部１２０によって制御される。
【００４９】
ＴＭＤＳレシーバ１６１は、テレビ１０に接続しているレコーダ２０のＴＭＤＳトランスミッタ２６１から送信されるコンテンツを、ＨＤＭＩケーブルのＴＭＤＳラインを通じて受信する。受信したコンテンツは、表示処理部１５０に送信される。
【００５０】
ＤＤＣ・Ｉ／Ｆ１６２は、ＨＤＭＩケーブルのＤＤＣラインを介してＥＤＩＤを送信するためのインターフェースである。ＤＤＣ・Ｉ／Ｆ１６２が送信するＥＤＩＤは、ＥＤＩＤ格納部１６６から読み出される。ＥＤＩＤ格納部１６６は、ＥＤＩＤを格納するための書き換え可能なメモリである。
【００５１】
ＣＥＣ・Ｉ／Ｆ１６３は、ＨＤＭＩケーブルのＣＥＣラインを介して伝送されたＣＥＣコマンドを受信するためのインターフェースである。ＣＥＣ・Ｉ／Ｆ１６３が受信したＣＥＣコマンドは、コマンド処理部に送信される。また、ＣＥＣ・Ｉ／Ｆ１６３は、ＨＤＭＩケーブルのＣＥＣラインを介してＣＥＣコマンドを送信するためのインターフェースでもある。ＣＥＣ・Ｉ／Ｆ１６３が送信するＣＥＣコマンドは、コマンド処理部１３０から送信される。
【００５２】
５Ｖ・Ｐｏｗｅｒ検知部１６５は、ＨＤＭＩケーブルの５Ｖ電力ラインが接続される５Ｖ電力ピンの電圧をモニタし、その立ち上がりタイミングを検知する。５Ｖ電力ピンの電圧が５Ｖに立ち上がったことを検知すると、５Ｖ・Ｐｏｗｅｒ検知部１５０は、ソース機器との接続が確立されたことを及びＨＰＤ制御部１６４に通知する。ＨＰＤ制御部１６４は、５Ｖ・Ｐｏｗｅｒ検知部１６５からこの通知を受けると、ＨＤＭＩケーブルのＨＰＤラインが接続されるＨＰＤピンの電圧をＨレベルに立ち上げる。
【００５３】
ＨＤＭＩ入力端子に接続されたソース機器のＨＤＭＩトランスミッタ（図１においては、レコーダ２０のＨＤＭＩトランスミッタ２６１）は、ＨＤＭＩケーブルのＨＰＤラインに接続されるＨＰＤピンの電圧がＨレベルに立ち上がると、ＨＤＭＩレシーバ１６０のＥＤＩＤ格納部１６６に格納されたＥＤＩＤを、ＤＤＣラインを介して読み出す。
【００５４】
（レコーダ２０のＨＤＭＩトランスミッタ２６０）
続いて、テレビ１０に接続しているレコーダ２０のＨＤＭＩトランスミッタ２６０の構成について説明する。ＨＤＭＩトランスミッタ２６０は、ＴＭＤＳトランスミッタ２６１、ＤＤＣ・Ｉ／Ｆ２６２、ＣＥＣ・Ｉ／Ｆ２６３、ＨＰＤ検知部２６４及び５Ｖ・Ｐｏｗｅｒ制御部２６５を備えている。ＨＤＭＩトランスミッタ２００の各部は制御部１２０によって制御される。
【００５５】
ＴＭＤＳトランスミッタ２６１は、ＨＤＭＩケーブルのＴＭＤＳラインを介してコンテンツを送信するためのインターフェースである。
【００５６】
ＤＤＣ・Ｉ／Ｆ２６２は、ＨＤＭＩケーブルのＤＤＣラインを介して伝送されたＥＤＩＤを受信するためのインターフェースである。
【００５７】
ＣＥＣ・Ｉ／Ｆ２６３は、ＨＤＭＩケーブルのＣＥＣラインを介して伝送されたＣＥＣコマンドを受信するためのインターフェースである。ＣＥＣ・Ｉ／Ｆ２６３が受信したＣＥＣコマンドは、コマンド処理部１３０に送信される。また、ＣＥＣ・Ｉ／Ｆ２６０は、ＨＤＭＩケーブルのＣＥＣラインを介してＣＥＣコマンドを送信するためのインターフェースである。ＣＥＣ・Ｉ／Ｆ２６３が送信するＣＥＣコマンドは、コマンド処理部１３０から送信される。
【００５８】
５Ｖ・Ｐｏｗｅｒ制御部２６５は、レコーダ２０とテレビ１０とが接続されたことを検知できるよう、ＨＤＭＩケーブルの５Ｖ電力ラインに接続される５Ｖ電力ピンの電圧を５Ｖに制御する。ＨＰＤ検知部２６４は、ＨＤＭＩケーブルのＨＰＤラインが接続されるＨＰＤピンの電圧をモニタし、その立ち上がりタイミングを検知する。ＨＰＤピンの電圧がＨレベルに立ち上がったことを検知すると、ＨＰＤ検知部２６４は、シンク機器との接続が確立されたことを制御部１２０及びＤＤＣ・Ｉ／Ｆ２６２に通知する。
【００５９】
上述したＤＤＣ・Ｉ／Ｆ２６２は、ＨＰＤ検知部２６４からこの通知を受けると、テレビ１０からＤＤＣラインを介してＥＤＩＤを読み出すように構成されている。
【００６０】
（録画の予約処理）
本実施形態における録画の予約処理について図３を参照して説明する。図３は、ユーザがテレビ１０に対し録画の予約をする際のテレビ１０における処理の流れを示すフローチャートである。
【００６１】
なお、以下の説明において、ＨＤＭＩ−ＣＥＣにて規定されているＣＥＣコマンドは、括弧（＜＞）で括って示す。
【００６２】
ユーザが録画の開始をテレビ１０にリモコン３０を用いて指示すると、制御部１２０は、テレビ１０に接続している機器のうち利用可能な機器を確認するＣＥＣコマンドを送信するようコマンド処理部１３０に指示する。コマンド処理部１３０は、記録部１１０のマップテーブルに記録されている機器に対して、利用可能であるか否かを問い合わせる<Request Active Source>を発行し、ＣＥＣ・Ｉ／Ｆ１６４を介して送信する（ステップＳ１１）。
【００６３】
テレビ１０に接続している利用可能な機器は、<Request Active Source>を受信し、テレビ１０に利用可能であることを示す<Active Source>を送信する。コマンド処理部１３０は、テレビ１０に接続している利用可能な機器から送信された<Active Source>をＣＥＣ・Ｉ／Ｆ１６４を介して受信する（ステップＳ１２）。
【００６４】
機器選択部１４０は、コマンド処理部１３０にて受信した<Active Source>コマンドに含まれる物理アドレスを用いて、記録部１１０のマップテーブルを参照し、機器種別を取得する。機器選択部１４０は、取得した機器種別を表示部１１に一覧表示するよう表示処理部１５０に指示する。表示処理部１５０は、機器選択部１４０からの指示に従い、テレビ１０に接続している機器のうち、<Active Source>を送信した機器の機器種別を一覧表示する（ステップＳ１３）。これにより、ユーザは表示部１１に一覧表示された機器種別から、録画予約を行う機器を、リモコン３０を用いて選択することができる。
【００６５】
制御部１２０は、ユーザによって選択された機器（操作対象機器）の機器種別より、該操作対象機器の物理アドレス及び論理アドレスを取得するよう機器選択部１４０に指示する。機器選択部１４０は、制御部１２０からの指示に従い、操作対象機器の物理アドレス及び論理アドレスを記録部１１０のマップテーブルより取得する。ユーザは、該操作対象機器に対する録画の予約の内容を指示することができる。録画の予約の内容の指示は、ＥＰＧ（電子番組表）から指示してもよいし、操作対象機器から表示される操作一覧（操作パネル）から録画の予約の内容を指示してもよい。
【００６６】
制御部１２０は、ユーザによって指示された録画の予約の内容を、機器選択部１４０が取得した上記操作対象機器の物理アドレス及び論理アドレスと関連付けて、記録部１１０に記録する（ステップＳ１４）。ここで録画の予約の内容とは、録画日、録画開始時刻、録画終了時刻及び録画をする番組名など、録画の予約をするのに必要な内容を示す。
【００６７】
(予約された録画の実行)
次に、ユーザが予約した録画を実行する際のテレビ１０及び操作対象機器の処理を図４及び図５を用いて説明する。図４及び図５では、操作対象機器がレコーダ２０である場合を例に説明する。図４は、テレビ１０における予約された録画の実行の流れを示すフローチャートである。
【００６８】
図４に示すように、制御部１２０は、レコーダ２０の電源状態を問い合わせるＣＥＣコマンドを送信するようコマンド処理部１３０に指示する。コマンド処理部１３０は、電源状態を問い合わせるＣＥＣコマンド<Give Device Power Status>を発行し、レコーダ２０にＣＥＣ・Ｉ／Ｆ１６４を介して送信する（ステップＳ２１）。
【００６９】
制御部１２０は、コマンド処理部１３０が<Give Device Power Status>を送信した後、時刻をカウントするタイマーをセットする（ステップＳ２２）。制御部１２０は、セットしたタイマーが予め定められた時間になったか否か（タイムアウトか否か）を判定する（ステップＳ２３）。
【００７０】
タイムアウトになる前（ステップＳ２３にてＮｏ）に、コマンド処理部１３０は、レコーダ２０から<Give Device Power Status>の応答コマンドである<Report Power Status>（電源状態報告コマンド）を、ＣＥＣ・Ｉ／Ｆ１６４を介して受信する（ステップＳ２５）。
【００７１】
制御部１２０は、コマンド処理部１３０が受信した電源状態報告コマンドより、レコーダ２０の電源状態がＯＮであるか否かを判定する（ステップＳ２６）。電源状態がＯＮでない場合（ステップＳ２６にてＮｏ）、制御部１２０は、レコーダ２０を起動するＣＥＣコマンドを送信するようコマンド処理部１３０に指示する。
【００７２】
一方、レコーダ２０から<Report Power Status>を受信する前に、タイムアウトになった場合（ステップＳ２３にてＹｅｓ）、つまり、レコーダ２０からの応答が無い場合においても、制御部１２０は、レコーダ２０を起動するＣＥＣコマンドを送信するようコマンド処理部１３０に指示する。
【００７３】
コマンド処理部１３０は、レコーダ２０を起動するＣＥＣコマンド（起動コマンド）を発行し、レコーダ２０にＣＥＣ・Ｉ／Ｆ１６４を介して送信する（ステップＳ２４）。その後、ステップＳ２１に戻り、再度、レコーダ２０に電源状態を問い合わせる。
【００７４】
電源状態がＯＮである場合（ステップＳ２６にてＹｅｓ）、制御部１２０は、記録部１１０に記録されているレコーダ２０の物理アドレス及び論理アドレスとユーザによって指示された録画の予約の内容とが関連付けられたデータを参照し、操作に対応するコマンドを送信するようコマンド処理部１３０に指示する。操作に対応するコマンドとは、例えば、録画である場合、録画を開始するコマンド、録画を終了するコマンドが挙げられる。
【００７５】
制御部１２０は、録画開始時刻に録画を開始するＣＥＣコマンドを送信するようコマンド処理部１３０に指示する。コマンド処理部１３０は、録画を開始するＣＥＣコマンド<Record On>を発行し、レコーダ２０にＣＥＣ・Ｉ／Ｆ１６４を介して送信する（ステップＳ２７）。
【００７６】
その後、制御部１２０は、記録部１１０に記録されている予約の内容を参照し、録画終了時刻であるか否かを判定し（ステップＳ２８）、録画終了時刻まで、ステップＳ２８を繰り返す（ステップＳ２８にてＮｏ）。
【００７７】
録画終了時刻になると（ステップＳ２８にてＹｅｓ）、制御部１２０は、録画を終了するＣＥＣコマンドを送信するようコマンド処理部１３０に指示する。コマンド処理部１３０は、録画を終了するＣＥＣコマンド<Record Off>を発行し、レコーダ２０にＣＥＣ・Ｉ／Ｆ１６４を介して送信する（ステップＳ２９）。
【００７８】
予約された録画が終了すると、制御部１２０は、表示画面にレコーダ２０からＨＤＭＩケーブルを介してコンテンツが表示されているか否かを判定する（ステップＳ３０）。つまり、制御部１２０は、表示処理部１５０が、レコーダ２０から受信したコンテンツを表示部１１に表示しているか否かを判定する。
【００７９】
レコーダ２０から送信されたコンテンツが表示部１１に表示されている場合（ステップＳ３０にてＹｅｓ）、制御部１２０は、レコーダ２０をスタンバイ状態にするか否かを問い合わせるダイアログを表示部１１に表示するよう表示処理部１５０に指示する。
【００８０】
表示処理部１５０は、制御部１２０からの指示に従い、表示部１１にレコーダ２０をスタンバイ状態にするか否かを問い合わせるダイアログを表示する（ステップＳ３１）。表示部１１に表示されるダイアログには、例えば、「レコーダをスタンバイ状態にしますか。もしくは、レコーダを使用していますか」というメッセージと共に、「はい」「いいえ」という選択肢が表示される。制御部１２０は、リモコン３０の操作によって、「はい」「いいえ」を選択することによるユーザからの指示に従って、スタンバイ状態にするか否かを判定する（ステップＳ３２）。なお、ダイアログに表示されるメッセージ、及び、選択肢は、これに限定されるものではない。
【００８１】
レコーダ２０をスタンバイ状態にしない旨の指示を取得した場合（ステップＳ３２においてＮＯ）、この動作を終了する。レコーダ２０をスタンバイ状態にする旨の指示を取得した場合（ステップＳ３２にてＹｅｓ）、もしくは、レコーダ２０から送信されたコンテンツが表示されていない場合、（ステップＳ３０にてＮｏ）、制御部１２０はレコーダ２０をスタンバイ状態にするＣＥＣコマンドを送信するようコマンド処理部１３０に指示する。コマンド処理部１３０は、レコーダ２０をスタンバイ状態にする<Standby>コマンドを発行し、レコーダ２０にＣＥＣ・Ｉ／Ｆ１６４を介して送信する（ステップＳ３３）。
【００８２】
次に、ユーザが予約した録画を実行する際のレコーダ２０における処理の流れを、図５を参照して説明する。図５は、レコーダ２０における予約された録画の実行の流れを示すフローチャートである。
【００８３】
図５に示すように、レコーダ２０がテレビ１０からＣＥＣ・Ｉ／Ｆ２６４を介して<Give Device Power Status>を受信する（ステップＳ４１）と、レコーダ２０は、<Give Device Power Status>の応答コマンドである<Report Power Status>を、レコーダ２０の電源状態と共に、テレビ１０にＣＥＣ・Ｉ／Ｆ２６４を介して送信する（ステップＳ４２）。
【００８４】
レコーダ２０は、レコーダ２０を起動するＣＥＣコマンドの受信の有無を判定し（ステップＳ４３）、受信した場合（ステップＳ４３にてＹｅｓ）、レコーダ２０を起動する（ステップＳ４４）。レコーダ２０起動後は、テレビ１０より再度電源状態を問い合わせるＣＥＣコマンドが送信されるため、ステップＳ４１に戻る。
【００８５】
なお、レコーダ２０がステップＳ４１及びステップＳ４２は省略することも可能である。
【００８６】
レコーダ２０を起動するＣＥＣコマンドの受信が無い場合（ステップＳ４３にてＮｏ）、レコーダ２０は、テレビ１０からＣＥＣ・Ｉ／Ｆ２６４を介して<Record On>を受信する（ステップＳ４５）と、録画を開始する（ステップＳ４６）。
【００８７】
その後、レコーダ２０は、テレビ１０からＣＥＣ・Ｉ／Ｆ２６４を介して<Record Off>を受信する（ステップＳ４７）と、録画を終了する（ステップＳ４８）。レコーダ２０は、ＣＥＣ・Ｉ／Ｆ２６４を介して<Standby>コマンドの受信の有無を判定し（ステップＳ４９）、受信した場合（ステップＳ４９にてＹｅｓ）、レコーダ２０をスタンバイ状態にする（ステップＳ５０）。<Standby>コマンドを受信していない場合（ステップＳ４９にてＮｏ）、処理を終了する。
【００８８】
以上により、テレビ１０は、テレビ１０に接続している利用可能な機器種別を表示部１１に一覧表示することがでる。ユーザは、上記テレビ１０に接続している利用可能な機器種別を一覧で見ることができる。ユーザは、一覧表示された機器種別から、レコーダ２０を選択し、レコーダ２０に対して録画の予約をすることができる。
【００８９】
また、テレビ１０は、ユーザによって選択された操作対象機器に対し、予約された録画を行うことができる。予約された録画が終了すると、テレビ１０は、レコーダ２０からテレビ１０にコンテンツが送信されていない場合、レコーダ２０をスタンバイ状態にすることができる。
【００９０】
また、予約された録画が終了すると、ユーザにレコーダ２０をスタンバイ状態にするかを問い合わせるダイアログを表示することで、ユーザの指示によりレコーダ２０をスタンバイ状態にすることができる。
【００９１】
これにより、ユーザは録画の予約を行うレコーダ２０を簡単に選択することができ、レコーダ２０に対して録画の予約を行うことができる。また、予約された録画が終了後、レコーダ２０からテレビ１０にコンテンツが表示されていない場合、もしくは、ユーザからスタンバイ状態にする指示がある場合は、レコーダ２０をスタンバイ状態にするため、レコーダ２０の消費電力を削減するという効果を奏する。
【００９２】
一方、レコーダ２０から送信されたコンテンツがテレビ１０に表示されている場合は、レコーダ２０をスタンバイ状態にしないため、ユーザがレコーダ２０を使用しているときにレコーダ２０がスタンバイ状態になるということが無く、ユーザの利便性が向上する。
【００９３】
本実施形態では、予約された内容に対して録画を実行する方法を説明したが、これに限定されるものではなく、予約せずに録画を行ってもよい。この場合、ステップＳ１３で表示部１１に一覧表示された機器から、選択された操作対象機器の物理アドレス及び論理アドレスは、機器選択部１４０からコマンド処理部１３０に送信される。また、制御部１２０で取得したユーザによって指示された録画の予約の内容は、コマンド処理部１３０に送信される。コマンド処理部１３０は、制御部１２０から受信した録画処理の情報と、機器選択部１４０から受信した操作対象機器の物理アドレス及び論理アドレスとを用いて、図４に示す各ＣＥＣコマンドを送信することが可能である。
【００９４】
また、本実施形態では、レコーダ２０をスタンバイ状態にする方法について説明したが、これに限定されるものではなく、レコーダ２０の電源状態がＯＮの状態（第１の動作モード）よりも消費電力の少ない状態（第２の動作モード）にする方法であればよい。
〔実施形態２〕
本発明の表示装置に関する他の実施形態について、図６及び図７に基づいて説明すれば、以下のとおりである。本実施形態では、ユーザが予約した録画をテレビ１０及びレコーダ２０が実行後、テレビ１０の周囲に人がいない場合、もしくは、ユーザがスタンバイ状態にすると指示した場合、レコーダ２０をスタンバイ状態にする方法を説明する。なお、説明の便宜上、前記実施の形態１にて説明した図面と同じ機能を有する部材については、同じ符号を付記し、その説明を省略する。
【００９５】
（テレビ１０’）
まず、本実施形態に係るテレビ１０’の構成について、図６を参照して説明する。図６は、テレビ１０’の構成を示すブロック図である。図６においては、テレビ１０’の構成に加え、テレビ１０’のＨＤＭＩ入力端子に接続されたソース機器であるレコーダ２０のＨＤＭＩトランスミッタ２６０の構成を示している。
【００９６】
図６に示すように、テレビ１０’は、表示部１１、リモコン受光部１２、人感（熱）センサ（人感センサ）１３及び制御装置１００’を備えている。また、制御装置１００’は、記録部１１０’、制御部１２０、コマンド処理部１３０、機器選択部１４０、表示処理部１５０、ＨＤＭＩレシーバ１６０及び判定部１７０を備えている。また、テレビ１０’は、リモコン３０からのリモコン信号を受信可能に構成されている。また、テレビ１０’は、レコーダ２０とＨＤＭＩケーブルを介して接続されている。
【００９７】
人感センサ１３は、周囲の温度変化を感知するセンサである。人感センサ１３は、感知した周囲の温度変化に応じた値をとる電気信号（以下、「人感信号」と呼称する）を制御装置１００’に送信する。人感センサ１３は、例えば、焦電型赤外線センサなどにより構成することができる。
【００９８】
テレビ１０’の周囲（より正確には、人感センサ１３の検知範囲）に人が居る場合、人感センサ１３により感知される温度変化が大きくなり、テレビ１０’の周囲に人が居ない場合、人感センサ１３により感知される温度変化が小さくなる。このため、制御装置１００’は、人感センサ１３から送信される人感信号の値を参照することにより、テレビ１０’の周囲に人がいるか否かを判定することができる。
【００９９】
（制御装置１００’）
制御装置１００’は、テレビ１０’内の各種構成を統括的に制御するものである。また、制御装置１００’は、レコーダ２０における録画処理を制御する。制御装置１００’が備える記録部１１０’及び判定部１７０について以下に説明する。
【０１００】
記録部１１０’は、制御装置１００の記録部１１０に記録されているデータに加え、閾値が記録されている。閾値は、人感センサ１３から送信される人感信号の値からテレビ１０の周囲に人がいるか否かを判定するため値であり、予め定められている固定値であってもよいし、ユーザにより設定される可変値であってもよい。
【０１０１】
判定部１７０は、人感センサ１３から受信した人感信号の値と、記録部１１０’に記録されている閾値とを比較することによって、人感センサ１３の検知範囲内（すなわち、テレビ１０の周囲）にユーザが居るか否かを判定する。判定部１７０は、判定した結果を制御部１２０に送信する。
【０１０２】
判定部１７０における判定方法としては、例えば、人感センサ１３から受信した人感信号の値が閾値よりも大きい場合、検知範囲内にユーザが居ると判定し、人感信号の値が閾値よりも小さい場合、検知範囲内にユーザが居ないと判定する方法を挙げることができる。
【０１０３】
(予約された録画の実行)
本実施形態では、実施形態１のステップＳ１１からステップＳ１４にて予約された録画を実行する際のテレビ１０’の処理を図７を用いて説明する。図７では、操作対象機器がレコーダ２０である場合を例に説明する。図７は、テレビ１０’における予約された録画の実行の流れを示すフローチャートである。
【０１０４】
図７に示すように、制御部１２０は、レコーダ２０の電源状態を問い合わせるＣＥＣコマンドを送信するようコマンド処理部１３０に指示する。コマンド処理部１３０は、電源状態を問い合わせるＣＥＣコマンド<Give Device Power Status>を発行し、レコーダ２０にＣＥＣ・Ｉ／Ｆ１６４を介して送信する（ステップＳ６１）。
【０１０５】
制御部１２０は、コマンド処理部１３０が<Give Device Power Status>を送信した後、時刻をカウントするタイマーをセットする（ステップＳ６２）。制御部１２０は、セットしたタイマーが予め定められた時間になったか否か（タイムアウトか否か）を判定する（ステップＳ６３）。
【０１０６】
タイムアウトになる前（ステップＳ６３にてＮｏ）に、コマンド処理部１３０は、レコーダ２０から<Give Device Power Status>の応答コマンドである<Report Power Status>（電源状態報告コマンド）を、ＣＥＣ・Ｉ／Ｆ１６４を介して受信する（ステップＳ６５）。
【０１０７】
制御部１２０は、コマンド処理部１３０が受信した電源状態報告コマンドより、レコーダ２０の電源状態がＯＮであるか否かを判定する（ステップＳ６６）。電源状態がＯＮでない場合（ステップＳ６６にてＮｏ）、制御部１２０は、レコーダ２０を起動するＣＥＣコマンドを送信するようコマンド処理部１３０に指示する。
【０１０８】
一方、レコーダ２０から<Report Power Status>を受信する前に、タイムアウトになった場合（ステップＳ２３にてＹｅｓ）、つまり、レコーダ２０からの応答が無い場合においても、制御部１２０は、レコーダ２０を起動するＣＥＣコマンドを送信するようコマンド処理部１３０に指示する。
【０１０９】
コマンド処理部１３０は、レコーダ２０を起動するＣＥＣコマンド（起動コマンド）を発行し、レコーダ２０にＣＥＣ・Ｉ／Ｆ１６４を介して送信する（ステップＳ６４）。その後、ステップＳ６１に戻り、再度、レコーダ２０に電源状態を問い合わせる。
【０１１０】
電源状態がＯＮである場合（ステップＳ６６にてＹｅｓ）、制御部１２０は、記録部１１０’に記録されている予約の内容を参照し、録画開始時刻に録画を開始するＣＥＣコマンドを送信するようコマンド処理部１３０に指示する。コマンド処理部１３０は、録画を開始するＣＥＣコマンド<Record On>を発行し、レコーダ２０にＣＥＣ・Ｉ／Ｆ１６４を介して送信する（ステップＳ６７）。
【０１１１】
制御部１２０は、記録部１１０’に記録されている予約の内容を参照し、録画終了時刻であるか否かを判定し（ステップＳ６８）、録画終了時刻まで、ステップＳ６８を繰り返す（ステップＳ６８にてＮｏ）。
【０１１２】
録画終了時刻になると（ステップＳ６８にてＹｅｓ）、制御部１２０は、録画を終了するＣＥＣコマンドを送信するようコマンド処理部１３０に指示する。コマンド処理部１３０は、録画を終了するＣＥＣコマンド<Record Off>を発行し、レコーダ２０にＣＥＣ・Ｉ／Ｆ１６４を介して送信する（ステップＳ６９）。
【０１１３】
予約された録画が終了すると、制御部１２０は、ユーザによるレコーダ２０がユーザによって使用されているか否かを判定するために、人感センサ１３によって感知されるユーザの有無を判定するよう判定部１７０に指示する。判定部１７０は、人感センサ１３から取得した人感信号の値と、記録部１１０に記録されている所定の閾値とを比較する。すなわち、判定部１７０は、人感センサ１３の周囲の温度変化（すなわち、テレビ１０の周囲の温度変化）が基準の温度変化よりも大きいか否かを判定する（ステップＳ７０）。
【０１１４】
判定部１７０が人感センサ１３の周囲の温度変化が基準の温度変化よりも大きいと判定した場合（ステップＳ７０にてＹｅｓ）、判定部１７０は人感センサ１３の検知範囲内にユーザが居ると認識して、そのことを制御部１２０に通知する。
【０１１５】
制御部１２０は、レコーダ２０をスタンバイ状態にするか否かを問い合わせるダイアログを表示部１１に表示するよう表示処理部１５０に指示する。表示処理部１５０は、制御部１２０からの指示に従い、表示部１１にレコーダ２０をスタンバイ状態にするか否かを問い合わせるダイアログを表示する（ステップＳ７１）。
【０１１６】
表示部１１に表示されるダイアログには、例えば、「レコーダをスタンバイ状態にしますか。もしくは、レコーダを使用中ですか」というメッセージと共に、「はい」「いいえ」という選択肢が表示される。制御部１２０は、リモコン３０の操作によって、「はい」「いいえ」を選択することによるユーザからの指示に従って、スタンバイ状態にするか否かを判定する（ステップＳ７２）。なお、ダイアログに表示されるメッセージ、及び、選択肢は、これに限定されるものではない。
【０１１７】
レコーダ２０をスタンバイ状態にしない旨の指示を取得した場合（ステップＳ７２においてＮＯ）、この動作を終了する。レコーダ２０をスタンバイ状態にする旨の指示を取得した場合（ステップＳ７２にてＹｅｓ）、もしくは、判定部１７０が人感センサ１３の周囲の温度変化が基準の温度変化よりも小さいと判定した場合（ステップＳ７０にてＮｏ）、制御部１２０はレコーダ２０をスタンバイ状態にするＣＥＣコマンドを送信するようコマンド処理部１３０に指示する。コマンド処理部１３０は、レコーダ２０をスタンバイ状態にする<Standby>コマンドを発行し、レコーダ２０にＣＥＣ・Ｉ／Ｆ１６４を介して送信する（ステップＳ７３）。
【０１１８】
また、レコーダ２０における予約された録画の実行の流れは、図５と同様の流れになるため、説明を省略する。
【０１１９】
以上により、予約された録画が終了すると、制御装置１００’は、テレビ１０’の周囲にユーザがいるか否かを判定し、ユーザがいない場合、レコーダ２０をスタンバイ状態にすることが可能である。
【０１２０】
これにより、テレビ１０’は、テレビ１０’の周囲にユーザが居れば、ユーザがレコーダ２０を利用していると判定でき、テレビ１０’の周囲にユーザが居なければ、ユーザがレコーダ２０を利用していないと判定できる。テレビ１０’は、ユーザがレコーダ２０を利用していないと判定した場合、レコーダ２０を自動的にスタンバイ状態にすることができるため、レコーダ２０の消費電力を削減することができる。
【０１２１】
本実施形態では、予約した内容に対して録画を実行する方法を説明したが、これに限定されるものではなく、実施形態１と同様に予約せずに録画を行ってもよい。
【０１２２】
また、上述した実施形態１及び実施形態２では、テレビ１０とＨＤＭＩ接続している機器がレコーダ２０である場合を例に説明を行ったが、これに限定されるものではない。
〔プログラム及び記録媒体〕
最後に、テレビ１０及びテレビ１０’の各ブロックは、集積回路（ＩＣチップ）上に形成された論理回路によってハードウェア的に実現してもよいし、ＣＰＵ（Central Processing Unit）を用いてソフトウェア的に実現してもよい。
【０１２３】
後者の場合、テレビ１０及びテレビ１０’は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１０及びテレビ１０’の制御プログラムのプログラムコード（実行形式プログラム、中間コードプログラム、ソースプログラム）をコンピュータで読み取り可能に記録した記録媒体を、上記テレビ１０及びテレビ１０’に供給し、そのコンピュータ（またはＣＰＵやＭＰＵ）が記録媒体に記録されているプログラムコードを読み出し実行することによっても、達成可能である。
【０１２４】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１２５】
また、テレビ１０及びテレビ１０’を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１２６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１２７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２８】
本発明に係る表示装置は、ＡＶシステムに広く利用することができる。
【符号の説明】
【０１２９】
１０、１０’      テレビ（表示装置）
１１              表示部
１２              リモコン受光部
１３              人感センサ（人感（熱）センサ）
２０              レコーダ（録画再生装置）
３０              リモコン
１００、１００’  制御装置
１１０、１１０’  記録部
１２０            制御部（判定手段）
１３０            コマンド処理部（指示手段、遷移手段）
１４０            機器選択部（機器選択手段）
１５０            表示処理部（ダイアログ表示手段）
１６０            ＨＤＭＩレシーバ
１６１            ＴＭＤＳレシーバ
１６３            ＣＥＣ・Ｉ／Ｆ
１７０            判定部（感知手段）
２６０            ＨＤＭＩトランスミッタ
２６１            ＴＭＤＳトランスミッタ
２６３            ＣＥＣ・Ｉ／Ｆ
【図１】
0005503392.tif 000002
【図２】
0005503392.tif 000003
【図３】
0005503392.tif 000004
【図４】
0005503392.tif 000005
【図５】
0005503392.tif 000006
【図６】
0005503392.tif 000007
【図７】
0005503392.tif 000008